(57)【要約】【課題】使用時に簡単にベッドにセットできると共に、保管場所にも困らず、しかも、洗濯も容易で安価な枕保持ユニットを提供する。【解決手段】折りたたみ可能なシート１と、折りたたんだシート１により包まれる枕２とを備え、シート１は、枕２を包んだシート１の上端部を敷設物７の上端部の一部に掛けまわされたうえ、敷設物７とリクライニングベッド５の背もたれ部６との間に挟み込み挟持され得るようにする。【選択図】図２
0003144728.tif 000002
【実用新案登録請求の範囲】
【請求項１】
折りたたみ可能で且つ折りたたんだ際に枕を包み得るようにしたシート状物を備え、枕を包んだシート状物の枕から離反した両端部は、重ね合わされた状態で、リクライニングベッドに敷設された敷設物の傾動可能な背もたれ部に支持された上端部に掛けまわされたうえ、敷設物と背もたれ部との間に挟み込まれるよう構成したことを特徴とする枕保持ユニット。
【請求項２】
前記両端部の重ね合わせ部には、シート状物を折りたたんだ際に両端部を連結する連結手段が設けられている請求項１に記載の枕保持ユニット。
【請求項３】
シート状物の幅方向両側位置には、枕を包んだシート状物をリクライニングベッドにセットして前記両端部の重ね合わせ部を敷設物と背もたれ部との間に挟みこみ支持させた際に、敷設物の幅方向両端部において、枕及び敷設物を厚さ方向から挟持し得るようにした挟持手段を備えた請求項１又は２に記載の枕保持ユニット。
【考案の詳細な説明】
【技術分野】
【０００１】
本考案は、リクライニングベッドで背もたれ部を傾斜状態に起き上がらせた場合に、枕が、背もたれ部に支持されている敷設物の保持位置から下方へずれることを防止するようにした枕保持ユニットに関するものである。
【背景技術】
【０００２】
高齢化社会の到来等に伴って、身体不自由な老人、身体障害者や病人等の寝たきりの患者のために、上半身部分（背もたれ部分）が起き上がるリクライニングベッドが多く使用されている。このリクライニングベッドは、例えば病院、介護施設や自宅等で使用され、食事の際等に仰向けに寝ている状態から要介助者の上半身を起き上がらせることができる。
【０００３】
通常、寝る場合にはベッドに限らず頭部、首等を支えるために枕が使用されている。しかしながら、リクライニングベッドに枕を使用する場合に、背もたれ部を介してマットレスや蒲団等の敷設物が起き上がると、その傾斜に沿って枕がずり落ちてしまう。又、例えば食事等が終わりその傾斜を元の位置に戻す場合に、枕がずり落ちてしまっていると、介助者或は要介助者自身で枕を配置しなおさなければならず、煩わしいという問題があった。
【０００４】
斯かる問題を解決するようにしたものとしては、特開２００６−２０４６４３号公報に示すようなユニットがある。この公報のユニットは、リクライニングベッドにおいて傾斜した背もたれ部に支持されている敷設物に載置された枕が、傾斜した敷設物からその傾斜に沿って下方へずれることを防止する保持ユニットであって、背もたれ部の傾斜する上端部に配置される本体と、その本体に連結され前記背もたれ部の上端部に着脱可能に掛け止められる掛止部材と、本体に連結され、枕を保持する枕保持部材とを備えている。
【０００５】
而して、本体は内筒及び外筒を備えて伸縮可能に構成されており、本体の長手方向両端部には、敷設物及び背もたれ部の上端部に掛止される掛止部材が設けられている。この掛止部材は、本体の上部に嵌合し得るよう下端が開口した掛止取付部材が固設されて前後に延在する掛止外筒部材と、該掛止外筒部材に対し前後に摺動可能に嵌合された側面形状がＬ型の棒状部材を備えている。而して、掛止部材をリクライニングベッドに取付ける際には、背もたれ部及び敷設物の厚さに対応してＬ型の棒状部材の長さを調整したうえ、当該掛止部材を背もたれ部及び敷設物の上端部にセットし、しかる後、Ｌ型棒状部材をボルトを用いて掛止外筒部材に固定する必要がある。
【０００６】
又、枕保持部材は、前記本体の長手方向両側に枕保持取付部材を介して取付けられたループ形状の枕保持ベルトを備えており、枕を枕保持ベルトに装着する際には、ループ内に枕を挿入する必要があり、又、枕の大きさによっては、枕保持ベルトの長さを調整する必要がある。
【考案の開示】
【考案が解決しようとする課題】
【０００７】
しかしながら、特開２００６−２０４６４３号公報に示すものは、複雑な構成をしているため使用時の準備が煩雑で時間を要し、又、使用しない場合に取外しておくときでも、折たたんだりできないため、病院や介護施設では、室内に置いた場合は邪魔となって、保管場所の確保が難しく、更には、部品点数が多いため、価格も高価となるなり、更に又汚れた場合も洗濯に適さない、等の問題がある。
【０００８】
本考案は、上記実情に鑑み、取り扱いが容易で使用時に簡単にベッドにセットできると共に、保管場所にも困らず、しかも、安価な枕保持ユニットを提供することを目的としてなしたものである。
【課題を解決するための手段】
【０００９】
請求項１の枕保持ユニットは、折りたたみ可能で且つ折りたたんだ際に枕を包み得るようにしたシート状物を備え、枕を包んだシート状物の枕から離反した両端部は、重ね合わされた状態で、リクライニングベッドに敷設された敷設物の傾動可能な背もたれ部に支持された上端部に掛けまわされたうえ、敷設物と背もたれ部との間に挟み込まれるよう構成したものである。
【００１０】
請求項２の枕保持ユニットにおいては、前記両端部の重ね合わせ部には、シート状物を折りたたんだ際に両端部を連結する連結手段が設けられており、請求項３の枕保持ユニットにおいては、シート状物の幅方向両側位置には、枕を包んだシート状物をリクライニングベッドにセットして前記両端部の重ね合わせ部を敷設物と背もたれ部との間に挟みこみ支持させた際に、敷設物の幅方向両端部において、枕及び敷設物を厚さ方向から挟持し得るようにした挟持手段を備えている。
【考案の効果】
【００１１】
本考案の枕保持ユニットによれば、背もたれ部を傾斜状態に起立させてリクライニングベッドを使用する場合は、枕をシート状物に包み、シート状物の重ね合わせた両端部を敷設物と背もたれ部との間に挟みこむだけでよいため、使用時の準備を短時間で容易に行うことができ、又、使用しない場合でもシート状物と枕だけであるため、保管に場所を取らず、且つ、広げれば１枚のシートになるため洗濯や乾燥も簡単で、病院や介護施設でも容易に使用することができ、更には、シート状物以外には特別な器具も不要であるため、価格も安価であるという優れた効果を奏し得る。又、請求項２、３の場合は、枕を敷設物に対しより一層安定して保持することができると共に、枕を包んだシート状物を傾斜した敷設物に確実に保持させることができる。
【考案を実施するための最良の形態】
【００１２】
以下、本考案の実施の形態を図示例と共に説明する。
図１〜図４は本考案を実施する形態の第一例である。図中、１はシート、２はシート１に包むための枕、３，４はシート１の長手方向両端部に設けられて、シート１を折りたたんだ際に、シート１両端部の重ね合わせ部を連結するためのマジックテープ（登録商標）のような連結手段である。又、５はリクライニングベッド、６はリクライニングベッド５の傾動可能な背もたれ部、７はマットレスや布団のような敷設物である。
【００１３】
傾動して傾斜した背もたれ部６に支持されている敷設物７に枕２をセットする場合は、枕２をシート１の中央部に載置し、シート１を１８０度に折たたんで枕２をシート１により包み込み、連結手段３，４によりシート１の枕２から離反した側の両端重ね合わせ部を連結する。
次いで、シート１に包み込んだ枕２を、傾動して斜めの状態となっている背もたれ部６に支持されている敷設物７の上部所定位置に位置させ、二つ折状態にしたシート１上端の連結手段３，４により連結した２枚重ねの部分を、敷設物７の上端に掛けまわしたうえ、背もたれ部６と敷設物７との間に挟み込み、背もたれ部６と敷設物７とで２枚重ねのシート１の端部１ａを挟み込み挟持させる（図２、図３参照）。これにより、枕２は背もたれ部６延いては敷設物７の傾斜部に固定、支持される。
【００１４】
従って、リクライニングベッド５を利用する人が、食事等の場合にリクライニングベッド５の背もたれ部６を上方へ傾動させて斜めの状態で使用する場合でも、枕２は傾斜した敷設物７からずり落ちることがなく、枕２の位置を修正する必要がないため、煩わしさが解消される。
【００１５】
本図示例によれば、枕２をシート１に包み、シート１の端部重ね合わせ部を背もたれ部６と敷設物７との間に挟みこむだけでよいため、使用時の準備を短時間で容易に行うことができ、又、使用しない場合でもシート１と枕２だけであるため、保管に場所を取らず、更には、広げれば１枚となるため、洗濯や乾燥も簡単で、病院や介護施設でも容易に使用することができ、更には、シート１と枕２以外には特別な器具も不要であるため、価格も安価である。
【００１６】
図５、図６は本考案の実施の形態の第二例であり、本図示例が前記図示例と異なるところは、シート１の幅方向両側に、伸縮可能な紐状物或は帯状物８を、その長手方向両端部がシート１の縁部に連結されるよう、取付け、枕２を包んだシート１を傾斜した敷設物７に載置して、シートの端部重ね合わせ部を前記図示例と同様に傾斜した敷設物７と背もたれ部６との間にセットした際に、図５に示すように、枕２及び敷設物７が、その幅方向両側において、伸縮可能な紐状物或は帯状物８により固定するようにした点である。
本図示例においても、前記図示例と同様な作用効果を奏することができる。又、枕２や敷設物７の幅方向両側は紐状物或は帯状物８により抑えられているため、枕２やシート１はより一層確実に敷設物７に対し確実に固定される。
【００１７】
なお、本考案の枕保持ユニットにおいては、シートの幅はリクライニングベッドの幅と略同じでも狭くても或は広くても実施可能であること、その他、本考案の要旨を逸脱しない範囲内において種々変更を加え得ることは勿論である。
【図面の簡単な説明】
【００１８】
【図１】本考案の枕保持ユニットの実施の形態の第一例を示し、枕をシートに包む前の状態を示す斜視図である。
【図２】本考案の枕保持ユニットの実施の形態の第一例を示し、シートに包まれた枕をリクライニングベッドの背もたれ部に支持されている敷設物に対しセットした状態を示す斜視図である。
【図３】本考案の枕保持ユニットの実施の形態の第一例を示し、シートに包まれた枕をリクライニングベッドの背もたれ部に支持されている敷設物に対しセットした状態を示す側面図である。
【図４】図３のＩＶ部拡大図である。
【図５】本考案の枕保持ユニットの実施の形態の第二例を示し、枕をシートに包む前の状態を示す斜視図である。
【図６】本考案の枕保持ユニットの実施の形態の第二例を示し、シートに包まれた枕をリクライニングベッドの背もたれ部に支持されている敷設物に対しセットした状態を示す斜視図である。
【符号の説明】
【００１９】
１  シート（シート状物）
２  枕
３，４    連結手段
６  背もたれ部
７  敷設物
８  帯状物又は紐状物（挟持手段）
【図１】
0003144728.tif 000003
【図２】
0003144728.tif 000004
【図３】
0003144728.tif 000005
【図４】
0003144728.tif 000006
【図５】
0003144728.tif 000007
【図６】
0003144728.tif 000008